(57)【要約】【課題】複数台の表示装置で連携することにより、各装置の前にきた利用者に適した表示を提供できるようにする。【解決手段】表示システム１によれば、デジタルサイネージ装置２の何れかにより予め定められた複数の項目のうち何れかが選択されると、制御部２３は、通信部２６により選択項目の情報及び利用者識別情報をサーバ装置４に送信して保存させる。各デジタルサイネージ装置２において近距離無線通信部３３により利用者識別情報が入力されると、制御部２３は、サーバ装置４から利用者識別情報に対応する選択項目の情報を取得し、サーバ装置４においてその利用者識別情報に対応付けて記憶されている選択項目に関連する情報のうち、自機に対応する情報を画像形成部２７に表示させる。【選択図】図７
2015064817.tif 000002
【特許請求の範囲】
【請求項１】
表示手段及び利用者識別情報を入力するための入力手段を備える複数の表示装置が通信ネットワークを介して接続される表示システムであって、
前記複数の表示装置の何れかにおいて予め定められた複数項目の中から選択された選択項目の情報及び前記選択を行った利用者の利用者識別情報を対応付けて記憶する記憶手段を有し、
前記複数の表示装置のそれぞれは、
前記入力手段により利用者識別情報が入力された際に、前記入力手段により入力された利用者識別情報に対応する選択項目の情報が前記記憶手段に記憶されているか否かを判断し、記憶されている場合は、前記記憶手段において前記入力された利用者識別情報に対応付けて記憶されている選択項目に関連する情報のうち、自装置に対応する情報を前記表示手段に表示させる制御手段を備える表示システム。
【請求項２】
前記記憶手段は、前記通信ネットワーク上に設けられたサーバ装置又は前記複数の表示装置のそれぞれに設けられている請求項１に記載の表示システム。
【請求項３】
前記制御手段は、前記選択項目に関連する情報のうち、自装置が設置されている場所に対応する情報を前記表示手段に表示させる請求項１又は２に記載の表示システム。
【請求項４】
前記複数の表示装置のそれぞれは、同一店舗の売場毎に設置されており、
前記選択項目に関連する情報は、前記選択項目に関連する品目の情報であり、
前記制御手段は、前記選択項目に関連する品目のうち、自装置が設置されている売場に配置されている品目の情報を前記表示手段に表示させる請求項３に記載の表示システム。
【請求項５】
前記複数の表示装置のそれぞれは、同一店舗内に設置されており、
前記選択項目に関連する情報は、前記選択項目に関連する品目の情報であり、
前記複数の表示装置のそれぞれは、前記複数の表示装置のそれぞれが設置されている位置及び前記店舗が取り扱う各品目が配置されている位置の情報を記憶する位置情報記憶手段を備え、
前記制御手段は、前記位置情報記憶手段に記憶されている情報及び前記選択項目に関連する品目の情報に基づいて、前記利用者が店舗内を移動する経路を決定し、自装置から次の表示装置までの経路と、前記選択項目に関連する品目のうち次の表示装置までの経路上に配置されている品目の位置を前記表示手段に表示させる請求項３に記載の表示システム。
【請求項６】
複数の表示装置に通信ネットワークを介して接続される表示装置であって、
利用者識別情報を入力するための入力手段と、
表示手段と、
前記入力手段により利用者情報が入力された際に、前記入力手段により入力された利用者識別情報に対応する選択項目が、前記複数の表示装置の何れかにおいて予め定められた複数項目の中から選択された選択項目の情報及び前記選択を行った利用者の利用者識別情報を対応付けて記憶する記憶手段に記憶されているか否かを判断し、記憶されている場合は、前記入力された利用者識別情報に対応する選択項目に関連する情報のうち、自装置に対応する情報を前記表示手段に表示させる制御手段と、
を備える表示装置。
【請求項７】
複数の表示装置に通信ネットワークを介して接続される表示装置における表示方法であって、
利用者識別情報を入力する工程と、
前記入力手段により利用者情報が入力された際に、前記入力手段により入力された利用者識別情報に対応する選択項目が、前記複数の表示装置の何れかにおいて予め定められた複数項目の中から選択された選択項目の情報及び前記選択を行った利用者の利用者識別情報を対応付けて記憶する記憶手段に記憶されているか否かを判断し、記憶されている場合は、前記入力された利用者識別情報に対応する選択項目に関連する情報のうち、自装置に対応する情報を表示手段に表示させる工程と、
を含む表示方法。
【請求項８】
複数の表示装置に通信ネットワークを介して接続される表示装置に用いられるコンピュータを、
利用者識別情報を入力するための入力手段、
前記入力手段により利用者情報が入力された際に、前記入力手段により入力された利用者識別情報に対応する選択項目が、前記複数の表示装置の何れかにおいて予め定められた複数項目の中から選択された選択項目の情報及び前記選択を行った利用者の利用者識別情報を対応付けて記憶する記憶手段に記憶されているか否かを判断し、記憶されている場合は、前記入力された利用者識別情報に対応する選択項目に関連する情報のうち、自装置に対応する情報を表示手段に表示させる制御手段、
として機能させるためのプログラム。
【発明の詳細な説明】
【技術分野】
【０００１】
本発明は、表示システム、表示装置、表示方法及びプログラムに関する。
【背景技術】
【０００２】
従来、人型に成形された投影スクリーンに、そのスクリーンの外形に合わせた形状の広告コンテンツ映像などを投影する装置が提案されている（例えば、特許文献１参照）。このような表示装置は、デジタルサイネージ装置と呼ばれ、展示会等における斬新で効果的な展示の演出や、あるいは、「バーチャルマネキン」等、人間代わりの商品説明等に利用されている。
【先行技術文献】
【特許文献】
【０００３】
【特許文献１】特開２０１１−１５０２２１号公報
【発明の概要】
【発明が解決しようとする課題】
【０００４】
デジタルサイネージ装置は、一つの店舗や同一の敷地内に複数台設置されることがある。しかしながら、従来、複数のデジタルサイネージ装置で連携して、各デジタルサイネージ装置の前に利用者がきたときに、その利用者個人に適した表示を行うものは存在しなかった。
【０００５】
本発明の課題は、複数台の表示装置で連携することにより、各装置の前にきた利用者に適した表示を提供できるようにすることである。
【課題を解決するための手段】
【０００６】
上記課題を解決するため、請求項１に記載の発明は、
表示手段及び利用者識別情報を入力するための入力手段を備える複数の表示装置が通信ネットワークを介して接続される表示システムであって、
前記複数の表示装置の何れかにおいて予め定められた複数項目の中から選択された選択項目の情報及び前記選択を行った利用者の利用者識別情報を対応付けて記憶する記憶手段を有し、
前記複数の表示装置のそれぞれは、
前記入力手段により利用者識別情報が入力された際に、前記入力手段により入力された利用者識別情報に対応する選択項目の情報が前記記憶手段に記憶されているか否かを判断し、記憶されている場合は、前記記憶手段において前記入力された利用者識別情報に対応付けて記憶されている選択項目に関連する情報のうち、自装置に対応する情報を前記表示手段に表示させる制御手段を備える。
【発明の効果】
【０００７】
本発明によれば、複数台の表示装置で連携することにより、各装置の前にきた利用者に適した表示を提供することが可能となる。
【図面の簡単な説明】
【０００８】
【図１】本実施形態における表示システムの全体構成を示す図である。
【図２】図１のデジタルサイネージ装置の機能的構成を示すブロック図である。
【図３】選択ボタン対応付けテーブル記憶部のデータ格納例を示す図である。
【図４】設置場所別コンテンツ記憶部のデータ格納例を示す図である。
【図５】図２のスクリーン部の概略構成を示す図である。
【図６】サーバ装置の利用者管理情報記憶部のデータ格納例を示す図である。
【図７】図２の制御部により実行される食材購入ガイド処理Ａを示すフローチャートである。
【図８】第２の実施形態における記憶部の構成例を示す図である。
【図９】メニュー別品目記憶部のデータ格納例を示す図である。
【図１０】店内地図情報のイメージを示す図である。
【図１１】第２の実施形態において図２の制御部により実行される食材購入ガイド処理Ｂを示すフローチャートである。
【図１２】第２の実施形態において表示されるコンテンツの一例を示す図である。
【図１３】第２の実施形態において表示されるコンテンツの他の例を示す図である。
【図１４】近距離無線通信部を複数設けた構成を示す図である。
【発明を実施するための形態】
【０００９】
以下、添付図面を参照して本発明に係る好適な実施形態を詳細に説明する。なお、本発明は、図示例に限定されるものではない。
【００１０】
（第１の実施形態）
まず、第１の実施形態について説明する。
［表示システム１の構成］
図１は、本発明の第１の実施形態に係る表示システム１の概略構成を示す図である。表示システム１には、複数のデジタルサイネージ装置２（２Ａ〜２Ｃ）と、通信ネットワークＮを介してデジタルサイネージ装置２に通信自在なサーバ装置４とが備えられている。本実施形態においては、デジタルサイネージ装置２を２Ａ〜２Ｃの３台としているが、デジタルサイネージ装置２の台数は、複数台であれば特に限定されない。
【００１１】
［デジタルサイネージ装置２の構成］
デジタルサイネージ装置２は、広告映像や画像等のコンテンツを表示する表示装置である。本実施形態において、デジタルサイネージ装置２Ａ〜２Ｃは、それぞれスーパーマーケットの食品売場の入り口又は各売場に設置され、利用者が選択した料理カテゴリー（和食、中華等）のおすすめメニューを作るのに必要な品目のうち、その売場で販売している品目を案内するコンテンツを表示するものである。
【００１２】
図２は、デジタルサイネージ装置２の主制御構成を示すブロック図である。
デジタルサイネージ装置２は、コンテンツの映像光を照射する投影部２１と、投影部２１から照射された映像光を背面で受けて前面に投影するスクリーン部２２とを備えている。
【００１３】
まず、投影部２１について説明する。
投影部２１は、制御部２３と、プロジェクタ２４と、記憶部２５と、通信部２６と、を備えている。プロジェクタ２４、記憶部２５、通信部２６は、図２に示すように制御部２３に接続されている。
【００１４】
制御部２３は、記憶部２５に記憶されている各種のプログラムを実行して所定の演算や各部の制御を行うＣＰＵ（Central Processing Unit）とプログラム実行時の作業領域となるメモリとを備えている（いずれも図示略）。制御部２３は、プログラム記憶部２５１に記憶されているプログラムとの協働により、制御手段として機能する。
【００１５】
プロジェクタ２４は、制御部２３から出力されたコンテンツの画像データを映像光に変換してスクリーン部２２に向けて照射する。
【００１６】
記憶部２５は、ＨＤＤ（Hard Disk Drive）や不揮発性の半導体メモリ等により構成される。記憶部２５には、図２に示すように、プログラム記憶部２５１、選択ボタン対応付けテーブル記憶部２５２、選択用コンテンツ記憶部２５３、設置場所別コンテンツ記憶部２５４、設置場所情報記憶部２５５等が設けられている。
【００１７】
プログラム記憶部２５１には、制御部２３で実行されるシステムプログラムや各種処理プログラム、これらのプログラムの実行に必要なデータ等が記憶されている。
【００１８】
選択ボタン対応付けテーブル記憶部２５２は、図３に示すように、操作部３２の選択ボタン名（Ａ〜Ｄ）と、各選択ボタンに対応する項目とを対応付けて記憶する。なお、本実施形態において、各選択ボタンに対応する項目は、和食、中華、アメリカン、イタリアン等の、料理カテゴリーである。
【００１９】
選択用コンテンツ記憶部２５３及び設置場所別コンテンツ記憶部２５４は、投影部２１によりスクリーン部２２に投影するコンテンツのデータ（画像データ及び音声データ）を記憶する。
選択用コンテンツ記憶部２５３は、利用者が料理カテゴリーの選択を行う際に表示する選択用コンテンツの画像データ及び対応する音声データを記憶する。選択用コンテンツは、例えば、利用者が選択可能な項目（即ち、選択可能な料理カテゴリー）及び各料理カテゴリーの本日のおすすめメニュー等の情報を表示するものである。
設置場所別コンテンツ記憶部２５４は、図４に示すように、デジタルサイネージ装置２の設置場所毎に、各選択ボタンと、その選択ボタンに対応する料理カテゴリーに関連するコンテンツのデータを対応付けて記憶する。例えば、設置場所が入口であれば、各選択ボタンに対し、その選択ボタンに対応する料理カテゴリーのおすすめメニューを紹介するコンテンツのデータが対応付けられている。設置場所が売場であれば、各選択ボタンに、選択されたボタンに対応する料理カテゴリーのおすすめメニューに必要な品目のうち、その売場で販売しているおすすめ品目を案内するコンテンツのデータが対応付けられている。
コンテンツのデータは、予めサーバ装置４から配信されたものが選択用コンテンツ記憶部２５３、設置場所別コンテンツ記憶部２５４に記憶されている。
【００２０】
設置場所情報記憶部２５５は、自機（自装置）が設置されている場所（入口、又は売場名）を記憶する。
【００２１】
通信部２６は、モデム、ルータ、ネットワークカード等により構成され、通信ネットワークＮ上のサーバ装置４等の外部機器との通信を行う。なお、デジタルサイネージ装置２と通信ネットワークＮとの接続は、無線接続であっても有線接続であってもよい。
【００２２】
次に、スクリーン部２２について説明する。
図５は、スクリーン部２２の概略構成を示す正面図である。図５に示すようにスクリーン部２２には、画像形成部２７と、画像形成部２７を支持する台座２８とが備えられている。
【００２３】
画像形成部２７は、映像光の照射方向に対して略直交するように配置された、例えばアクリル板などの人型に成形された一枚の透光板２９に、フィルム状のフレネルレンズが積層された背面投影用のフィルムスクリーン２９１や予め印刷されたフィルム２９２が貼付されて構成されたスクリーンである。プロジェクタ２４は、画像形成部２７のフィルムスクリーン２９１が貼付された領域に画像を投影する。画像形成部２７と前述したプロジェクタ２４とにより表示手段を構成している。
【００２４】
台座２８には、ボタン式の操作部３２と、ＮＦＣ（Near Field Communication）等の無線通信によりＩＣカード５等の外部機器と近距離通信を行うための近距離無線通信部３３と、音声データを音声に変換して出力するスピーカなどの音声出力部３４と、が設けられている。操作部３２には、料理のカテゴリーを選択するための選択ボタンＡ〜Ｄが含まれる。選択ボタンＡ〜Ｄのそれぞれには、上述のように、選択可能な料理カテゴリーが対応付けられている。ＩＣカード５は、例えば、デジタルサイネージ装置２が設置されている店舗の各利用者に配布されているカードであり、利用者識別情報が記憶されている。近距離無線通信部３３は、利用者識別情報を入力するための入力手段として機能する。
操作部３２、近距離無線通信部３３、音声出力部３４は、図２に示すように制御部２３に接続されている。
【００２５】
サーバ装置４は、ＣＰＵ等の制御部、操作部、通信ネットワークＮを介してデジタルサイネージ装置２等の外部機器と通信を行うための通信部、利用者管理情報記憶部４１を有する記憶部等が設けられたコンピュータ装置である。利用者管理情報記憶部４１は、図６に示すように、利用者識別情報と、利用者が選択したボタン名（Ａ〜Ｄ。選択ボタン情報という）を対応付けて記憶する。選択ボタン情報は、利用者が選択した選択項目を示す情報である。
【００２６】
サーバ装置４は、制御部とプログラムとの協働により、選択用コンテンツや設置場所別コンテンツを生成して通信ネットワークＮを介して各デジタルサイネージ装置２に配信する。また、各デジタルサイネージ装置２から送信された利用者識別情報及び選択ボタン情報を受信し、受信した情報を利用者管理情報記憶部４１に記憶する。更に、各デジタルサイネージ装置２からの問い合わせに応じて、利用者識別情報に対応する選択ボタン情報を検索してデジタルサイネージ装置２に送信する。
【００２７】
［表示システム１の動作］
次に、第１の実施形態における表示システム１におけるデジタルサイネージ装置２の動作について説明する。
【００２８】
図７に、表示システム１を構成する各デジタルサイネージ装置２において実行される食材購入ガイド処理Ａのフローチャートを示す。食材購入ガイド処理Ａは、デジタルサイネージ装置２に電源が投入された際に、制御部２３とプログラム記憶部２５１に記憶されているプログラムとの協働により実行される。
【００２９】
まず、制御部２３は、近距離無線通信部３３により、ＩＣカード５のタッチが検出されるのを待機する（ステップＳ１）。
ＩＣカード５のタッチが検出されたと判断した場合（ステップＳ１；ＹＥＳ）、制御部２３は、近距離無線通信部３３によりＩＣカード５から利用者識別情報を取得する（ステップＳ２）。
【００３０】
次いで、制御部２３は、ＩＣカード５から取得した利用者識別情報を通信部２６によりサーバ装置４に送信し、当該利用者識別情報に対応する選択項目を示す選択ボタン情報の問い合わせを行う（ステップＳ３）。
サーバ装置４は、デジタルサイネージ装置２からの問い合わせを受信すると、受信した利用者識別情報に対応する選択ボタン情報を利用者管理情報記憶部４１から検索し、利用者管理情報記憶部４１に利用者識別情報に対応する選択ボタン情報が記憶されている場合に、通信部により送信元のデジタルサイネージ装置２に選択ボタン情報を通信部により送信する。利用者管理情報記憶部４１に利用者識別情報に対応する選択ボタン情報が記憶されていない場合は、選択ボタン情報が存在しない旨を通信部により送信する。
【００３１】
通信部２６によりサーバ装置４から利用者識別情報に対応する選択ボタン情報が受信された場合（ステップＳ４；ＹＥＳ）、制御部２３は、取得された利用者識別情報に対応する選択項目がサーバ装置４に記憶されていると判断し、ステップＳ８に移行する。
【００３２】
通信部２６によりサーバ装置４から利用者識別情報に対応する選択ボタン情報が受信されなかった場合（ステップＳ４；ＮＯ）、制御部２３は、取得された利用者識別情報に対応する選択項目がサーバ装置４に記憶されていないと判断し、記憶部２５の選択用コンテンツ記憶部２５３に記憶されている選択用コンテンツを再生する（ステップＳ５）。即ち、制御部２３は、選択用コンテンツの画像データをプロジェクタ２４により画像形成部２７に投影するとともに、音声データを音声出力部３４により出力する。選択用コンテンツは、上述のように、例えば、選択ボタンＡ〜Ｄに対応する料理カテゴリー（Ａ：和食、Ｂ：中華、Ｃ：アメリカン、Ｄ：イタリアン）と、各料理のおすすめメニューを案内するものである。
【００３３】
次いで、制御部２３は、操作部３２の選択ボタンＡ〜Ｄの何れかが押下されるのを待機する（ステップＳ６）。操作部３２の選択ボタンＡ〜Ｄの何れかが押下されたと判断した場合（ステップＳ６；ＹＥＳ）、制御部２３は、ステップＳ２で取得した利用者識別情報と選択された選択項目を示す選択ボタン情報を通信部２６によりサーバ４に送信し（ステップＳ７）、ステップＳ８の処理に移行する。
【００３４】
ステップＳ８において、制御部２３は、自機が設置されている場所において、利用者により選択された選択項目（ここでは、料理のカテゴリー）に対応するコンテンツのうち、自機が設置された場所に応じたコンテンツを再生する（ステップＳ８）。
ステップＳ８において、具体的には、制御部２３は、設置場所情報記憶部２５５を参照して自機が設置されている場所を特定し、自機が設置されている場所及び利用者に選択されたボタンに対応するコンテンツのデータを設置場所別コンテンツ記憶部２５４から読み出して、その画像データをプロジェクタ２４により画像形成部２７に投影するとともに、音声データを音声出力部３４により出力する。
例えば、設置場所が入口であれば、選択された料理カテゴリーのおすすめメニューを紹介するコンテンツが再生される。設置場所が売場であれば、選択された料理カテゴリーのおすすめメニューに必要な品目のうち、その売場で販売しているおすすめ品目を案内するコンテンツが再生される。
【００３５】
コンテンツの再生が終了すると、制御部２３は、ステップＳ１に戻り、ステップＳ１からＳ８の処理を繰り返し実行する。電源がＯＮされている間、制御部２３は、ステップＳ１〜Ｓ８の処理を繰り返す。
【００３６】
このように、第１の実施形態の表示システム１においては、利用者により一つのデジタルサイネージ装置２において料理カテゴリーが選択され、店舗の各売場等に配置されているデジタルサイネージ装置２において利用者識別情報が入力されると、各売場のデジタルサイネージ装置２は、選択された料理カテゴリーのおすすめメニューに必要な品目のうち、その売場で販売しているおすすめ品目を表示する。従って、各デジタルサイネージ装置２は、自機の前にきた利用者に適した有用な情報を提供することができる。
また、利用者がひとつのデジタルサイネージ装置２で選択した選択項目の情報を複数のデジタルサイネージ装置２で共有しているので、利用者が各デジタルサイネージ装置２において選択を行わなくても、一度行われた選択操作を反映して、各デジタルサイネージ装置２で利用者に適した有用な情報を提供することができる。
【００３７】
（第２の実施形態）
次に、本発明の第２の実施形態について説明する。
第２の実施形態では、利用者が選択した料理カテゴリーのおすすめメニューを作るのに必要な品目が設置されている場所、及び移動経路を各デジタルサイネージ装置２で案内する場合を例にとり説明する。
【００３８】
第２の実施形態における表示システム１の構成は、第１の実施形態で図１を用いて説明したものと略同様であるが、各デジタルサイネージ装置２における記憶部２５の構成が異なる。
【００３９】
図８に、第２の実施形態における記憶部２５の構成を示す。
図８に示すように、第２の実施形態における記憶部２５には、プログラム記憶部２５１、選択ボタン対応付けテーブル記憶部２５２、選択用コンテンツ記憶部２５３、メニュー別品目記憶部２５６、店内地図情報記憶部２５７等が設けられている。
【００４０】
プログラム記憶部２５１には、制御部２３が後述する食材購入ガイド処理Ｂをはじめとする各種処理を実行するためのプログラムやプログラムの実行に必要なデータが記憶されている。
【００４１】
メニュー別品目記憶部２５６は、図９に示すように、操作部３２の選択ボタン名（Ａ〜Ｄ）と、各選択ボタンに対応する料理カテゴリーのおすすめメニューを作るのに必要な品目の情報とを対応付けて記憶する。
店内地図情報記憶部２５７は、デジタルサイネージ装置２が設置されている店舗の地図情報を記憶する。地図情報には、図１０に模式的に示すように、各デジタルサイネージ装置２が設定されている場所の位置情報、各品目が配置されている場所の位置情報、通行可能な通路の位置情報、出入口の位置情報の等が含まれる。店内地図情報記憶部２５７は、位置情報記憶手段として機能する。
【００４２】
選択ボタン対応付けテーブル記憶部２５２、選択用コンテンツ記憶部２５３は、第１の実施形態で説明したものと同様であるので説明を援用する。
【００４３】
また、第２の実施形態において、サーバ装置４は、制御部とプログラムとの協働により、選択用コンテンツや、メニュー別食材品目情報を生成して通信ネットワークＮを介して各デジタルサイネージ装置２に配信する。また、サーバ装置４は、各デジタルサイネージ装置２から送信された利用者識別情報、選択された選択項目を示す選択ボタン情報、及び選択が行われたデジタルサイネージ装置２の識別情報を受信すると、受信した情報を対応付けて利用者管理情報記憶部４１に記憶する。更に、各デジタルサイネージ装置２からの問い合わせに応じて、利用者識別情報に対応する選択ボタン情報及び選択が行われたデジタルサイネージ装置２の識別情報をデジタルサイネージ装置２に送信する。
【００４４】
次に、第２の実施形態における表示システム１におけるデジタルサイネージ装置２の動作について説明する。
【００４５】
図１１に、表示システム１を構成する各デジタルサイネージ装置２において実行される食材購入ガイド処理Ｂのフローチャートを示す。食材購入ガイド処理Ｂは、デジタルサイネージ装置２に電源が投入された際に、制御部２３とプログラム記憶部２５１に記憶されているプログラムとの協働により実行される。
【００４６】
まず、制御部２３は、近距離無線通信部３３により、ＩＣカード５のタッチが検出されるのを待機する（ステップＳ１１）。
ＩＣカード５のタッチが検出されたと判断した場合（ステップＳ１１；ＹＥＳ）、制御部２３は、近距離無線通信部３３によりＩＣカード５から利用者識別情報を取得する（ステップＳ１２）。
【００４７】
次いで、制御部２３は、取得した利用者識別情報を通信部２６によりサーバ装置４に送信し、当該利用者識別情報に対応する選択項目を示す選択ボタン情報の問い合わせを行う（ステップＳ１３）。
サーバ装置４は、デジタルサイネージ装置２からの問い合わせを受信すると、受信した利用者識別情報に対応する選択ボタン情報を利用者管理情報記憶部４１から検索し、利用者管理情報記憶部４１に受信した利用者識別情報に対応する選択ボタン情報が記憶されている場合に、送信元のデジタルサイネージ装置２に選択ボタン情報及び選択を行ったデジタルサイネージ装置２の識別情報を通信部により送信する。受信した利用者識別情報に対応する選択ボタン情報が記憶されていなかった場合は、選択ボタン情報が存在しない旨を通信部により送信する。
【００４８】
通信部２６によりサーバ装置４から利用者識別情報に対応する選択ボタン情報が受信された場合（ステップＳ１４；ＹＥＳ）、制御部２３は、取得された利用者識別情報に対応する選択項目がサーバ装置４に記憶されていると判断し、ステップＳ１８の処理に移行する。
【００４９】
通信部２６によりサーバ装置４から利用者識別情報に対応する選択ボタン情報が受信されなかった場合（ステップＳ１４；ＮＯ）、制御部２３は、取得された利用者識別情報に対応する選択項目がサーバ装置４に記憶されていないと判断し、記憶部２５の選択用コンテンツ記憶部２５３に記憶されている選択用コンテンツを再生する（ステップＳ１５）。即ち、制御部２３は、選択用コンテンツの画像データをプロジェクタ２４により画像形成部２７に投影するとともに、音声データを音声出力部３４により出力する。選択用コンテンツは、上述のように、例えば、選択ボタンＡ〜Ｄに対応する料理カテゴリーの項目（Ａ：和食、Ｂ：中華、Ｃ：アメリカン、Ｄ：イタリアン）と、各料理のおすすめメニューを案内するものである。
【００５０】
次いで、制御部２３は、操作部３２の選択ボタンＡ〜Ｄの何れかが押下されるのを待機する（ステップＳ１６）。操作部３２の選択ボタンＡ〜Ｄの何れかが押下されたと判断した場合（ステップＳ１６；ＹＥＳ）、制御部２３は、ステップＳ１２で取得した利用者識別情報、選択されたボタンを示す選択ボタン情報、及び自機のデジタルサイネージ装置２の識別情報（２Ａ、２Ｂ、２Ｃ）を通信部２６によりサーバ４に送信し（ステップＳ１７）、ステップＳ１８の処理に移行する。
【００５１】
ステップＳ１８において、制御部２３は、メニュー別品目記憶部２５６を参照し、利用者の選択項目（ここでは、料理のカテゴリー）に基づいて、おすすめメニューを作成するのに必要な品目（食材）の配置場所の位置を特定する（ステップＳ１８）。例えば、制御部２３は、まず、メニュー別品目記憶部２５６から、選択された項目に対応するメニューに必要な品目の情報を読み出す。次いで制御部２３は、店内地図情報記憶部２５７に記憶されている地図情報に基づいて、それぞれの品目の配置場所の位置を特定する。
【００５２】
次いで、制御部２３は、必要な品目の配置場所の位置及び店内地図情報記憶部２５７に記憶されている地図情報に基づいて、料理カテゴリーの選択を行ったデジタルサイネージ装置２（即ち、最初に利用者が操作したデジタルサイネージ装置２）から出口までの経路のうち、特定された全ての配置場所を経由する最短経路を生成する（ステップＳ１９）。
ここで、各デジタルサイネージ装置２において上記の最短経路を生成するアルゴリズムは同じであるので、各デジタルサイネージ装置２では同じ最短経路の情報が生成される。なお、最初に最短経路を生成したデジタルサイネージ装置２は、生成した最短経路の情報を利用者識別情報とともに通信部２６によりサーバ装置４に送信し、サーバ装置４においては受信した最短経路の情報を利用者識別情報に対応付けて記憶しておき、デジタルサイネージ装置２からの問い合わせに応じて最短経路の情報を送信することとしてもよい。
【００５３】
次いで、制御部２３は、生成した最短経路のうち、自機が設置されている位置から次のデジタルサイネージ装置２までの経路と、その経路上で取得すべき各品目の配置場所の位置を案内するコンテンツ（案内コンテンツ）を生成し（ステップＳ２０）、生成したコンテンツを再生する（ステップＳ２１）。即ち、制御部２３は、生成したコンテンツの画像データをプロジェクタ２４により画像形成部２７に投影するとともに、音声データを音声出力部３４により出力する。なお、コンテンツは、画像のみとしてもよい。
【００５４】
コンテンツの再生が終了すると、制御部２３は、ステップＳ１１に戻り、ステップＳ１１からＳ２１の処理を繰り返し実行する。電源がＯＮされている間、制御部２３は、ステップＳ１１〜Ｓ２１の処理を繰り返す。
【００５５】
図１２に、デジタルサイネージ装置２Ａにおいて利用者がＩＣカード５のタッチを行い、和食を選択したときに表示されるコンテンツの一例を示す。ここでは、和食のおすすめメニューが和風シーフードカレーである場合を例に示している。
図１２に示すように、デジタルサイネージ装置２Ａでは、次のデジタルサイネージ装置２Ｂまでの経路と、経路上にある取得すべき品目（人参、ジャガイモ）の配置場所の位置が表示される。
【００５６】
図１３に、次のデジタルサイネージ装置２Ｂにおいて利用者がＩＣカード５のタッチを行ったときに表示されるコンテンツの一例を示す。図１３に示すように、デジタルサイネージ装置２Ｂでは、次のデジタルサイネージ装置２Ｃまでの経路と、経路上にある取得すべき品目（エビ、イカ）の配置場所の位置が表示される。
【００５７】
このように、第２の実施形態の各デジタルサイネージ装置２においては、一つのデジタルサイネージ装置２で利用者が料理カテゴリーを選択すると、店舗の各所に配置されているデジタルサイネージ装置２において、次のデジタルサイネージ装置２までの経路及びその経路上で取得すべき品目（選択した料理カテゴリーに対応するおすすめメニューを作るのに必要な品目）の配置場所の位置を示すコンテンツを表示する。従って、利用者は、選択した料理のおすすめメニューに必要な品目を迷うことなく効率よく取得することができ、利用者に適した有用な情報を提供することができる。また、利用者がひとつのデジタルサイネージ装置２で選択した選択項目の情報を複数のデジタルサイネージ装置２で共有しているので、利用者が各デジタルサイネージ装置２において選択を行わなくても、一度行われた選択操作を反映して、各デジタルサイネージ装置２で利用者に適した有用な情報を提供することができる。
また、同じデジタルサイネージ装置２に戻ってきたときには、再度同じコンテンツが表示されるので、利用者が取得すべき品目を忘れてしまった場合にも役立てることができる。
【００５８】
なお、案内コンテンツは、以下の手順で生成することとしてもよい。
まず、サーバ装置４においては、利用者識別情報に対応付けて、その利用者が選択したボタンに対応するおすすめメニューの全品目のリストを記憶部に記憶しておく。
料理のカテゴリーの選択を受け付けたデジタルサイネージ装置２の制御部２３は、自機と出口を結ぶ経路のうち、利用者に選択された料理のおすすめメニューに必要な全ての品目の位置を経由して出口に向かう最短の経路を生成する。そして、自機から次のデジタルサイネージ装置２までの経路と、その経路上で取得すべき各品目の位置を案内するコンテンツを生成して再生する。また、案内に含めた品目の情報を利用者識別情報とともに通信部２６によりサーバ装置４に送信する。
サーバ装置４においては、デジタルサイネージ装置２から受信した品目の情報を、利用者が取得した品目の情報と見做してリストから削除する。
次のデジタルサイネージ装置２の制御部２３は、ＩＣカード５のタッチが検出され利用者情報が取得されると、利用者識別情報に対応する選択されたボタン情報及びまだ利用者が取得していない品目のリストをサーバ装置４から取得し、自機と出口を結ぶ経路のうち、利用者まだ取得していない品目の位置を経由して出口を向かう最短の経路を生成する。そして、自機から次のデジタルサイネージ装置２までの経路と、その経路上で取得すべき各品目の位置を案内するコンテンツを生成して再生する。また、案内に含めた品目の情報を利用者識別情報とともに通信部２６によりサーバ装置４に送信する。
このようにすれば、各デジタルサイネージ装置２において、利用者がまだ取得していない品目のみを案内することができ、利便性が向上する。
【００５９】
以上説明したように、表示システム１によれば、デジタルサイネージ装置２の何れかにより予め定められた複数の項目のうち何れかが選択されると、制御部２３は、通信部２６により選択項目の情報及び利用者識別情報をサーバ装置４に送信して保存させる。各デジタルサイネージ装置２において近距離無線通信部３３により利用者識別情報が入力されると、制御部２３は、サーバ装置４から利用者識別情報に対応する選択項目の情報を取得し、サーバ装置４においてその利用者識別情報に対応付けて記憶されている選択項目に関連する情報のうち、自機に対応する情報を画像形成部２７に表示させる。
従って、各デジタルサイネージ装置２は、それぞれ自機の前に来た利用者に適した有用な情報を提供することが可能となる。また、利用者がひとつのデジタルサイネージ装置２で選択した選択項目の情報を複数のデジタルサイネージ装置２で共有しているので、利用者が各デジタルサイネージ装置２において選択を行わなくても、一度行われた選択操作を反映して、各デジタルサイネージ装置２で利用者に適した有用な情報を提供することができる。
【００６０】
例えば、各デジタルサイネージ装置２において、利用者が選択した選択項目に関連する情報のうち、自機が設置されている場所に対応する情報を画像形成部２７に表示させるようにすることで、それぞれ自機の前に来た利用者にその場所に応じた有用な情報を提供することが可能となる。
【００６１】
また、各デジタルサイネージ装置２において、利用者が選択した選択項目に関連する品目のうち、自機が設置されている売場に配置されている品目の情報を画像形成部２７に表示させるようにすることで、利用者は、選択項目に関連する品目の情報のうち、その売場で取得可能な品目の情報を得ることが可能となる。
【００６２】
また、各デジタルサイネージ装置２において、自装置から次の表示装置までの経路と、選択項目に関連する品目のうち次の表示装置までの経路上に配置されている品目の位置を画像形成部２７に表示させるようにすることで、利用者が選択項目に関連する品目を迷うことなく効率よく取得できるように支援することができる。
【００６３】
なお、上記実施形態における記述内容は、本発明の表示システムの好適な一例であり、これに限定されるものではない。
【００６４】
例えば、上記第１及び第２の実施形態で説明した表示システムにおいては、デジタルサイネージ装置２において選択される項目を料理カテゴリーとし、選択された料理カテゴリーに関連する情報、具体的には、選択された料理カテゴリーのおすすめメニューで必要な品目に係る情報を表示することとして説明したが、これらは選択する項目や選択項目に関連して表示する情報の一例であり、これに限定されるものではない。
【００６５】
また、上記実施形態においては、何れかのデジタルサイネージ装置２において選択された選択項目の情報及び選択を行った利用者の利用者識別情報を対応付けて記憶する記憶手段として、通信ネットワークＮ上にサーバ装置４を備える構成としたが、これに限定されない。例えば、何れかのデジタルサイネージ装置２において選択が行われた場合、そのデジタルサイネージ装置２が選択を行った利用者の利用者識別情報及び選択項目の情報を通信部２６によりブロードキャストし、各デジタルサイネージ装置２において受信して記憶部２５の所定の領域にこれらの情報を記憶しておくこととしてもよい。すなわち、各デジタルサイネージ装置２の記憶部２５を記憶手段としてもよい。このように構成しても、表示システム１の各デジタルサイネージ装置２で利用者の選択項目の情報を共有することができる。
【００６６】
また、上記実施形態においては、各デジタルサイネージ装置２において選択を行うことが可能であったが、選択用のデジタルサイネージ装置２を設け、そのデジタルサイネージ装置２において選択を行う構成としてもよい。この場合、図１４に示すように、ＩＣカード５の検出及び通信を行う近距離無線通信部３３を複数設け、選択項目に対応する位置の近距離無線通信部３３にタッチすることで、利用者識別情報と項目の選択を同時に行えるようにしてもよい。
【００６７】
また、上記実施形態においては、利用者が簡単に利用者識別情報を入力できるようにするために、利用者識別情報を入力するための入力手段を近距離無線通信部３３としたが、これに限定されるものではなく、台座２８にテンキー等を設けて入力させることとしてもよい。
【００６８】
また、上記実施形態においては、利用者識別情報をＩＣカード５に予め書き込んでおくこととしたが、例えば、スマートフォン、ハンディターミナル等の携帯端末に利用者識別情報を予め書き込んでおき、携帯端末と近距離無線通信部３３が通信を行うことで利用者識別情報を入力する構成としてもよい。
【００６９】
また、上記実施形態においては、料理カテゴリーを選択するための選択用コンテンツを表示し、利用者による料理カテゴリーの選択を受け付ける構成としたが、料理カテゴリーが選択された後、各料理カテゴリーのおすすめメニューをいくつか表示し、その中から好みのメニューを選択できるようにしてもよい。即ち、選択する項目をいくつかの階層に分けてより詳細な選択を行えるようにしてもよい。
【００７０】
また、上記実施形態においては、各デジタルサイネージ装置２は、例えば、設置された売場に配置されている品目等、自機の設置場所に対応する情報を表示することとして説明したが、各デジタルサイネージ装置２に対応する情報としては、これに限定されず、各デジタルサイネージ装置２に個別に割り当てられた情報であってもよい。
【００７１】
その他、表示システムを構成する各装置の細部構成及び細部動作に関しても、発明の趣旨を逸脱することのない範囲で適宜変更可能である。
【００７２】
本発明のいくつかの実施形態を説明したが、本発明の範囲は、上述の実施形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
(付記)
＜請求項１＞
表示手段及び利用者識別情報を入力するための入力手段を備える複数の表示装置が通信ネットワークを介して接続される表示システムであって、
前記複数の表示装置の何れかにおいて予め定められた複数項目の中から選択された選択項目の情報及び前記選択を行った利用者の利用者識別情報を対応付けて記憶する記憶手段を有し、
前記複数の表示装置のそれぞれは、
前記入力手段により利用者識別情報が入力された際に、前記入力手段により入力された利用者識別情報に対応する選択項目の情報が前記記憶手段に記憶されているか否かを判断し、記憶されている場合は、前記記憶手段において前記入力された利用者識別情報に対応付けて記憶されている選択項目に関連する情報のうち、自装置に対応する情報を前記表示手段に表示させる制御手段を備える表示システム。
＜請求項２＞
前記記憶手段は、前記通信ネットワーク上に設けられたサーバ装置又は前記複数の表示装置のそれぞれに設けられている請求項１に記載の表示システム。
＜請求項３＞
前記制御手段は、前記選択項目に関連する情報のうち、自装置が設置されている場所に対応する情報を前記表示手段に表示させる請求項１又は２に記載の表示システム。
＜請求項４＞
前記複数の表示装置のそれぞれは、同一店舗の売場毎に設置されており、
前記選択項目に関連する情報は、前記選択項目に関連する品目の情報であり、
前記制御手段は、前記選択項目に関連する品目のうち、自装置が設置されている売場に配置されている品目の情報を前記表示手段に表示させる請求項３に記載の表示システム。
＜請求項５＞
前記複数の表示装置のそれぞれは、同一店舗内に設置されており、
前記選択項目に関連する情報は、前記選択項目に関連する品目の情報であり、
前記複数の表示装置のそれぞれは、前記複数の表示装置のそれぞれが設置されている位置及び前記店舗が取り扱う各品目が配置されている位置の情報を記憶する位置情報記憶手段を備え、
前記制御手段は、前記位置情報記憶手段に記憶されている情報及び前記選択項目に関連する品目の情報に基づいて、前記利用者が店舗内を移動する経路を決定し、自装置から次の表示装置までの経路と、前記選択項目に関連する品目のうち次の表示装置までの経路上に配置されている品目の位置を前記表示手段に表示させる請求項３に記載の表示システム。
＜請求項６＞
複数の表示装置に通信ネットワークを介して接続される表示装置であって、
利用者識別情報を入力するための入力手段と、
表示手段と、
前記入力手段により利用者情報が入力された際に、前記入力手段により入力された利用者識別情報に対応する選択項目が、前記複数の表示装置の何れかにおいて予め定められた複数項目の中から選択された選択項目の情報及び前記選択を行った利用者の利用者識別情報を対応付けて記憶する記憶手段に記憶されているか否かを判断し、記憶されている場合は、前記入力された利用者識別情報に対応する選択項目に関連する情報のうち、自装置に対応する情報を前記表示手段に表示させる制御手段と、
を備える表示装置。
＜請求項７＞
複数の表示装置に通信ネットワークを介して接続される表示装置における表示方法であって、
利用者識別情報を入力する工程と、
前記入力手段により利用者情報が入力された際に、前記入力手段により入力された利用者識別情報に対応する選択項目が、前記複数の表示装置の何れかにおいて予め定められた複数項目の中から選択された選択項目の情報及び前記選択を行った利用者の利用者識別情報を対応付けて記憶する記憶手段に記憶されているか否かを判断し、記憶されている場合は、前記入力された利用者識別情報に対応する選択項目に関連する情報のうち、自装置に対応する情報を表示手段に表示させる工程と、
を含む表示方法。
＜請求項８＞
複数の表示装置に通信ネットワークを介して接続される表示装置に用いられるコンピュータを、
利用者識別情報を入力するための入力手段、
前記入力手段により利用者情報が入力された際に、前記入力手段により入力された利用者識別情報に対応する選択項目が、前記複数の表示装置の何れかにおいて予め定められた複数項目の中から選択された選択項目の情報及び前記選択を行った利用者の利用者識別情報を対応付けて記憶する記憶手段に記憶されているか否かを判断し、記憶されている場合は、前記入力された利用者識別情報に対応する選択項目に関連する情報のうち、自装置に対応する情報を表示手段に表示させる制御手段、
として機能させるためのプログラム。
【符号の説明】
【００７３】
１  表示システム
２  デジタルサイネージ装置
２１  投影部
２２  スクリーン部
２３  制御部
２４  プロジェクタ
２５  記憶部
２５１  プログラム記憶部
２５２  選択ボタン対応付けテーブル記憶部
２５３  選択用コンテンツ記憶部
２５４  設置場所別コンテンツ記憶部
２５５  設置場所情報記憶部
２６  通信部
２７  画像形成部
２８  台座
２９  透光板
３２  操作部
３３  近距離無線通信部
３４  音声出力部
【図１】
2015064817.tif 000003
【図２】
2015064817.tif 000004
【図３】
2015064817.tif 000005
【図４】
2015064817.tif 000006
【図５】
2015064817.tif 000007
【図６】
2015064817.tif 000008
【図７】
2015064817.tif 000009
【図８】
2015064817.tif 000010
【図９】
2015064817.tif 000011
【図１０】
2015064817.tif 000012
【図１１】
2015064817.tif 000013
【図１２】
2015064817.tif 000014
【図１３】
2015064817.tif 000015
【図１４】
2015064817.tif 000016